(57)【特許請求の範囲】
【請求項１】
複数の天板形成板部を面一状態に並設して構成した天板部に、脚部を分離自在若しくは折り畳み自在に設けると共に、前記天板形成板部同士を分離自在若しくは折り畳み自在に構成して分離収納自在若しくは折り畳み収納自在に構成した組み立て式テーブルであって、前記脚部を、前記天板部を構成する各前記天板形成板部に夫々付設する付設部と、この各付設部に連設し下方へ突出する垂下接地部と、この各垂下接地部間に連設し前記天板形成板部同士の合せ目と交差する方向に架設される架設部とで構成すると共に手で押圧すると弾性変形し得る材料で形成した構成として、この脚部を複数の前記天板形成板部間に架設状態にして夫々の前記天板形成板部に係止し、複数の前記天板形成板部を並設状態に係止保持して天板部を組み付け保持する天板保持金具として構成したことを特徴とする組み立て式テーブル。
【請求項２】
分離自在な二枚の前記天板形成板部を面一状態に並設して構成した前記天板部に、この天板部を構成する二枚の前記天板形成板部の面一並設状態を係止保持する前記脚部を、二枚の前記天板形成板部を並設した合わせ目に前記架設部を架設状態にして各前記天板形成板部にこの脚部自身の弾性変形を利用して着脱自在に係止した構成とし、この脚部を前記天板部から着脱して分離することで、この脚部と二枚の前記天板形成板部とを分離重合収納自在に構成としたことを特徴とする請求項１記載の組み立て式テーブル。
【請求項３】
二体の前記脚部を前記合せ目に架設状態にして合せ目方向に対向状態に並設した構成とし、この各脚部を脱着して分離することで二体の前記脚部と二枚の前記天板形成板部との四つの部品に分離重合収納自在に構成したことを特徴とする請求項１，２のいずれか１項に記載の組み立て式テーブル。
【請求項４】
前記脚部は、金属製の線材又は帯板材から成ることを特徴とする請求項１〜３のいずれか１項に記載の組み立て式テーブル。
【請求項５】
各前記付設部を各前記天板形成板部に係脱自在に係止して着脱自在に付設した構成として、前記脚部を前記天板部に対して分離自在に設けた構成とし、前記付設部を前記天板部から脱着して、前記脚部を前記天板部から分離することで前記天板部の各前記天板形成板部の係止保持が解除され、前記天板形成板部同士が分離自在となるように構成して、前記脚部を前記天板部から着脱させる天板保持金具として構成したことを特徴とする請求項１〜４のいずれか１項に記載の組み立て式テーブル。
【請求項６】
前記脚部は、金属製の線材若しくは板材をループ状に形成した構成したことを特徴とする請求項１〜５のいずれか１項に記載の組み立て式テーブル。
【請求項７】
各前記天板形成板部の端部の表側及び裏側に配設されるように係脱自在に掛け止め係止する前記付設部に前記垂下接地部を連設し、この各垂下接地部間に連設した前記架設部を前記天板形成板部の裏面に設けた裏面係合部に係脱自在に係止する構成として、前記脚部を前記天板部から着脱させる前記天板保持金具として構成したことを特徴とする請求項１〜６のいずれか１項に記載の組み立て式テーブル。
【請求項８】
前記脚部は、前記天板部裏面の前記天板形成板部同士の合せ目を境にして対向状態に前記垂下接地部を設け、この垂下接地部間に前記合せ目と交差する前記架設部を設けると共に、前記合せ目と交差し且つ前記各天板形成板部の表側及び裏側に配設されるように端部係合部に係止する前記付設部を設けて、この付設部により各前記天板形成板部に掛け止め係止し且つ前記垂下接地部若しくは前記架設部を前記天板形成板部の裏面に設けた裏面係合部に係止することで、前記天板部に着脱自在に付設する構成とすると共に、この脚部を前記天板部から着脱することで二枚の前記天板形成板部から成る前記天板部を組み付け係止保持・解除自在に構成したことを特徴とする請求項１〜７のいずれか１項に記載の組み立て式テーブル。
【請求項９】
前記裏面係合部を少なくとも前記天板形成板部同士の前記合せ目に設けたことを特徴とする請求項７，８のいずれか１項に記載の組み立て式テーブル。
【請求項１０】
前記裏面係合部を、前記天板形成板部の前記合せ目及びこれを挟んだ対向位置の各前記天板形成板部裏面に夫々設け、この裏面係合部に前記架設部又は前記垂下接地部若しくは前記付設部を係止すると共に、前記付設部を各前記天板形成板部の端部に係止して前記架設部を前記合せ目と交差するように架設することで、前記脚部を前記天板部に着脱自在にして、この天板部に設ける前記脚部を、複数の前記天板形成板部を並設状態に係止保持して前記天板部を組み付け保持する天板保持金具として構成したことを構成した請求項７〜９のいずれか１項に記載の組み立て式テーブル。
【発明の詳細な説明】
【技術分野】
【０００１】
本発明は、例えば、キャンプや登山などの野外活動に携行でき、容易に組み立てることができる組み立て式テーブルに関するものである。
【背景技術】
【０００２】
従来、キャンプや登山など野外活動の際に携行し、調理道具や食器などを載置する多種多様な組み立て式のテーブルが提案されている。
【０００３】
これらは、例えば特許文献１に示されるように、運搬時に嵩張らないよう天板部や脚部が分離収納或いは折り畳み収納できるように構成されている。
【先行技術文献】
【特許文献】
【０００４】
【特許文献１】特開２００４−８９５５６号公報
【発明の概要】
【発明が解決しようとする課題】
【０００５】
しかしながら、従来の組み立て式のテーブルは、収納時にコンパクトにするために部品点数を多くして細かく分離な構成にしたり、小さく折り畳めるように構成したりするが故に、組み立てや分解収納する際は、作業に時間を要してしまう。
【０００６】
更に、手先の繊細な作業を必要とするものもあり、このようなものは、例えば、雪山登山など寒くて手袋が外せない状況では、非常に組み立て難い問題があった。
【０００７】
本発明は、上述の問題を解決し、軽量で且つコンパクトに収納できて、しかも、容易に組み立てることができる携帯用の組み立て式テーブルを提供することを目的とする。
【課題を解決するための手段】
【０００８】
添付図面を参照して本発明の要旨を説明する。
【０００９】
複数の天板形成板部２を面一状態に並設して構成した天板部１に、脚部３を分離自在若しくは折り畳み自在に設けると共に、前記天板形成板部２同士を分離自在若しくは折り畳み自在に構成して分離収納自在若しくは折り畳み収納自在に構成した組み立て式テーブルであって、前記脚部３を、前記天板部１を構成する各前記天板形成板部２に夫々付設する付設部４と、この各付設部４に連設し下方へ突出する垂下接地部５と、この各垂下接地部５間に連設し前記天板形成板部２同士の合せ目７と交差する方向に架設される架設部６とで構成すると共に手で押圧すると弾性変形し得る材料で形成した構成として、この脚部３を複数の前記天板形成板部２間に架設状態にして夫々の前記天板形成板部２に係止し、複数の前記天板形成板部２を並設状態に係止保持して天板部１を組み付け保持する天板保持金具３として構成したことを特徴とする組み立て式テーブルに係るものである。
【００１０】
また、分離自在な二枚の前記天板形成板部２を面一状態に並設して構成した前記天板部１に、この天板部１を構成する二枚の前記天板形成板部２の面一並設状態を係止保持する前記脚部３を、二枚の前記天板形成板部２を並設した合わせ目７に前記架設部６を架設状態にして各前記天板形成板部２にこの脚部３自身の弾性変形を利用して着脱自在に係止した構成とし、この脚部３を前記天板部１から着脱して分離することで、この脚部３と二枚の前記天板形成板部２とを分離重合収納自在に構成としたことを特徴とする請求項１記載の組み立て式テーブルに係るものである。
【００１１】
また、二体の前記脚部３を前記合せ目７に架設状態にして合せ目方向に対向状態に並設した構成とし、この各脚部３を脱着して分離することで二体の前記脚部３と二枚の前記天板形成板部２との四つの部品に分離重合収納自在に構成したことを特徴とする請求項１，２のいずれか１項に記載の組み立て式テーブルに係るものである。
【００１２】
また、前記脚部３は、金属製の線材又は帯板材から成ることを特徴とする請求項１〜３のいずれか１項に記載の組み立て式テーブルに係るものである。
【００１３】
また、各前記付設部４を各前記天板形成板部２に係脱自在に係止して着脱自在に付設した構成として、前記脚部３を前記天板部１に対して分離自在に設けた構成とし、前記付設部４を前記天板部１から脱着して、前記脚部３を前記天板部１から分離することで前記天板部１の各前記天板形成板部２の係止保持が解除され、前記天板形成板部２同士が分離自在となるように構成して、前記脚部３を前記天板部１から着脱させる天板保持金具３として構成したことを特徴とする請求項１〜４のいずれか１項に記載の組み立て式テーブルに係るものである。
【００１４】
また、前記脚部３は、金属製の線材若しくは板材をループ状に形成した構成したことを特徴とする請求項１〜５のいずれか１項に記載の組み立て式テーブルに係るものである。
【００１５】
また、各前記天板形成板部２の端部の表側及び裏側に配設されるように係脱自在に掛け止め係止する前記付設部４に前記垂下接地部５を連設し、この各垂下接地部５間に連設した前記架設部６を前記天板形成板部２の裏面に設けた裏面係合部８に係脱自在に係止する構成として、前記脚部３を前記天板部１から着脱させる前記天板保持金具３として構成したことを特徴とする請求項１〜６のいずれか１項に記載の組み立て式テーブルに係るものである。
【００１６】
また、前記脚部３は、前記天板部１裏面の前記天板形成板部２同士の合せ目７を境にして対向状態に前記垂下接地部５を設け、この垂下接地部５間に前記合せ目７と交差する前記架設部６を設けると共に、前記合せ目７と交差し且つ前記各天板形成板部２の表側及び裏側に配設されるように端部係合部９に係止する前記付設部４を設けて、この付設部４により各前記天板形成板部２に掛け止め係止し且つ前記垂下接地部５若しくは前記架設部６を前記天板形成板部２の裏面に設けた裏面係合部８に係止することで、前記天板部１に着脱自在に付設する構成とすると共に、この脚部３を前記天板部１から着脱することで二枚の前記天板形成板部２から成る前記天板部１を組み付け係止保持・解除自在に構成したことを特徴とする請求項１〜７のいずれか１項に記載の組み立て式テーブルに係るものである。
【００１７】
また、前記裏面係合部８を少なくとも前記天板形成板部２同士の前記合せ目７に設けたことを特徴とする請求項７，８のいずれか１項に記載の組み立て式テーブルに係るものである。
【００１８】
また、前記裏面係合部８を、前記天板形成板部２の前記合せ目７及びこれを挟んだ対向位置の各前記天板形成板部２裏面に夫々設け、この裏面係合部８に前記架設部６又は前記垂下接地部５若しくは前記付設部４を係止すると共に、前記付設部４を各前記天板形成板部２の端部に係止して前記架設部６を前記合せ目７と交差するように架設することで、前記脚部３を前記天板部１に着脱自在にして、この天板部１に設ける前記脚部３を、複数の前記天板形成板部２を並設状態に係止保持して前記天板部１を組み付け保持する天板保持金具３として構成したことを構成した請求項７〜９のいずれか１項に記載の組み立て式テーブルに係るものである。
【発明の効果】
【００１９】
本発明は上述のように構成したから、単に複数の天板形成板部を面一状態に並設して構成した天板部に脚部を取り付けるだけで、この天板部を構成する複数の天板形成板部同士が係止され並設状態を保持して天板部の組み付け状態が保持されてテーブルとして使用できる形態となる極めて簡易な構成で容易に組み立てることができ、しかも、収納時はコンパクトになり、持ち運びが便利な携帯性に優れた画期的な組み立て式テーブルとなる。
【００２０】
また、請求項２〜３記載の発明においては、一層簡易な構成で本発明を実現でき、しかも、脚部自身の弾性変形を利用して天板形成板部に脚部を係止させるので、ネジなどの固定具を必要とせず、極めて容易に脚部を取り付けることができ、特に請求項３記載の発明においては、二枚の天板形成板部と二体の脚部との僅か四つの部品のみで構成した極めて簡易な構成で携帯性に優れ、しかも、部品点数が非常に少ないので極めて容易に組み立てることができる実用性に優れた画期的な組み立て式テーブルとなる。
【００２１】
また、請求項４記載の発明においては、優れた弾性変形特性を容易に発揮することができ、更に、加工性にも優れ設計実現容易となり極めて簡易に脚部を形成することができると共に脚部を軽量化することができ、本発明をより一層容易に実現することができる実用性に優れた組み立て式テーブルとなる。
【００２２】
また、請求項５〜８記載の発明においては、より一層簡易な構成で本発明を実現できる画期的な組み立て式テーブルとなる。特に、請求項８記載の発明においては、脚部を一本の線材若しくは一枚の帯板材でループ状に形成したので、極めてシンプルな構造で、且つ、軽量化した構成となり、収納性、携帯性に優れた画期的な組み立て式テーブルとなる。
【００２３】
また、請求項９記載の発明においては、極めて簡易な構成で脚部を天板部に係止することができ、特に請求項１０記載の発明においては、一層強固に脚部を天板部に係止可能な構成とすると共に、天板部を構成する複数の天板形成板部同士を強固に係合させて天板部の組み付け状態を強固に保持することができる実用性に優れた組み立て式テーブルとなる。
【図面の簡単な説明】
【００２４】
【図１】本実施例を示す説明斜視図である。
【図２】本実施例の裏面側を示す説明斜視図である。
【図３】本実施例の裏面側を示す分解斜視図である。
【図４】本実施例を示す側面図である。
【図５】本実施例の脚部を示す説明図である。
【図６】本実施例の収納状態を示す参考図である。
【発明を実施するための形態】
【００２５】
好適と考える本発明の実施形態を、図面に基づいて本発明の作用を示して簡単に説明する。
【００２６】
本発明は、複数の天板形成板部２を面一状態に並設した状態にして天板部１を構成し、この天板部１に脚部３を取り付けることで、この脚部３が面一状態に並設した状態の複数の天板形成板部２同士が分離しないように係止保持するので、天板部１は組み付け状態が保持されることとなる。
【００２７】
即ち、複数の天板形成板部２から成る天板部１の組み付け状態を保持する天板保持金具３と天板部１を支持する脚部３とを兼用した構成としたので、脚部３を天板部１に取り付けることが、同時に複数の天板部１同士の組み付け（係止保持）となり、組み立て工数が簡略化された極めて簡易な組み立て作業で組み上げられる画期的な組み立て式テーブルとなる。
【００２８】
より具体的には、本発明は、天板部１を構成する複数の天板形成板部２と、この複数の天板形成板部２が構成する天板部１の組み付け状態を保持すると共に、この天板部１を支持する脚部３としての天板保持金具３とで構成する極めて簡易な構成であり、即ち、極めて部品点数が少ない構成としているので、極めて容易に組み立てられる。
【００２９】
しかも、天板部１への脚部３の取り付けは、脚部３が有する弾性変形する性質を利用して、脚部３を構成する付設部４若しくは架設部６を天板部１に係止させた状態で、架設部６若しくは付設部４を人の手で押圧して弾性変形させて天板部１に引掛け係止させることで、押圧動作を終え弾性変形が終了した架設部６若しくは付設部４が元の形状に戻り天板部１に強固に係止した状態が保持されることとなり、このように、本発明は、ネジなどの固定具を用いることなく、即ち、ネジ締めなどの繊細な作業を必要とせず、単に天板部１に脚部３を弾性変形させて引掛け係止するだけの極めて簡単な取り付け作業で、この天板部１と脚部３とが強固に係止され、更に、天板部１を構成する複数の天板形成板部２同士もこれによって強固に係止状態が保持されて、天板部１の組み付け状態が保持されて、テーブルとして使用可能な状態になる。
【００３０】
また、収納する際は、組み立て手順と逆の作業、即ち、架設部６若しくは付設部４を係止解除方向に押圧して天板部１との係止状態を解除し、付設部４若しくは架設部６を天板部１から取り外すことで、天板部１から脚部３が取り外され、脚部３を天板部１から取り外すことで天板形成板部２同士の係止保持状態も解除され、天板部１が夫々の天板形成板部２に分かれるので、例えば、バラバラに分かれた天板形成板部２を重ね合わせることで、収納形態を天板形成板部２一枚分の大きさにすることができ、この重ね合わせた天板形成板部２と脚部３とを重ねることでコンパクトに収納袋10に収納することができる。
【００３１】
また、例えば、本発明を二枚の天板形成板部２と二体の脚部３とで構成すれば、僅か四つの部品からなる極めて簡易な構成となるため、より一層、組み立て、分解作業が非常に簡単となり、また、四つの部品が全て分離するので、収納時に非常にコンパクトに収納することができる。
【００３２】
従って、本発明は、キャンプや登山などの野外活動時に携行品に適し、リュックサックなどの背負い袋や運搬用の袋に収納しても嵩張ることなくスッキリと収納できるので、他の道具と一緒にリュックサックに収納して持ち運ぶことができる優れた収納性と携帯性を有し、しかも、簡易な構成で極めて組み立てが容易なので、例えば、冬の野外で寒くて手袋が外せないような悪環境では、組み立て時のネジ締め作業時おいて、小さなネジをつまんだりネジを螺子孔に入れたりする繊細な作業は手袋をしたままではとても厄介な作業であるが、本発明は、このような繊細な組み付け作業を必要とせず、手袋をつけたままでも容易に組み立てることができる組み付け作業性に優れた画期的な組み立て式テーブルとなる。
【実施例】
【００３３】
本発明の具体的な実施例について図面に基づいて説明する。
【００３４】
本実施例は、複数の天板形成板部２で構成する天板部１と脚部３とからなり、複数の天板形成板部２を面一状態に並設して構成した天板部１に脚部３を分離自在に設けると共に、天板形成板部２同士を分離自在に構成して分離収納自在に構成して、キャンプや登山などの野外活動に携行する持ち運びに便利な小型の組み立て式テーブルである。
【００３５】
具体的には、図１，図２に示すように、本実施例の天板部１は、二枚の天板形成板部２を面一状態で隣接するように並設して構成している。
【００３６】
より具体的には、この天板部１を構成する天板形成板部２は、長方形状に形成し、対向する長辺部の一側に上方（表面側）に突出する帯状縁部11を設け、他側に下方（裏面側）に突出する帯状接合部12を設け、対向する短辺部の夫々に後述する脚部３と係合する端部係合部９を設けた構成としている。
【００３７】
より詳しく説明すると、帯状縁部11は、天板部１に食器などを載置した際に、これらが天板部１からはみ出して落下することを防止するために設けられたもので、本実施例では、この帯状縁部11を天板部１の前後端縁に設けた構成とし、具体的には、各天板形成板部２の対向する長辺部の一側端部（具体的には、５〜１０ｍｍ程度）を上方に向けて直角に折曲して形成した構成としている。
【００３８】
また、帯状接合部12は、夫々の天板形成板部２の帯状接合部12同士を突合せ接合することで、この二枚の天板形成板部２が面一状態で且つ隣接するように並設して天板部１を形成するように構成している。
【００３９】
また、端部係合部９は、天板形成板部２の短辺部の端縁、即ち、天板部１の左右端縁を夫々凹状に切り欠いて形成しており、本実施例では、図３に示すように、天板形成板部２の一短辺部に対して二つ、即ち、天板部１の左右端縁に四つの凹状の端部係合部９を設けた構成としている。
【００４０】
更に、この天板形成板部２は、裏面に脚部３と係脱自在に係合する裏面係合部８を設けた構成としている。
【００４１】
具体的には、この裏面係合部８は、脚部３が引掛け係止し得るようにフック状に形成した構成とし、天板部１を構成した際の天板形成板部２の少なくとも天板形成板部２同士の合せ目７、即ち、天板部１の奥行き方向の中央に配設した構成とし、本実施例では、図２，図３に示すように、この裏面係合部８を天板形成板部２同士の合せ目７に位置する各天板形成板部２の帯状接合部12に設けると共に、この合せ目７（帯状接合部12）を挟んだ対向位置の各天板形成板部２の裏面に夫々設けた構成としている。
【００４２】
また、合せ目７を挟んだ対向位置の各天板形成板部２の裏面に夫々設けた裏面係合部８は、具体的には、板材をフック状に形成し、このフック状の板材を天板形成板部２の裏面に垂設した構成としている。
【００４３】
本実施例では、この合せ目７を挟んで夫々の天板形成板部２の裏面に対向配設する裏面係合部８を、天板形成板部２を裏面側に垂直に切り起こして、天板形成板部２と一体成形した構成としている。
【００４４】
尚、この裏面係合部８は、天板部１の形状や大きさなどによって、その設置数は適宜変更可能なものとする。
【００４５】
また、本実施例の天板部１は、複数の天板形成板部２に分離するように構成して分離収納自在な構成としているが、天板形成板部２同士をヒンジなどの回動連結具で連結して折り畳み収納自在な構成としても良く、また、回動連結具を用いずとも合成樹脂板材を用いて弾性変形可能な折曲部を設けて折り畳み収納自在な構成としても良い。
【００４６】
また、このように構成した天板部１に分離自在に設ける脚部３は、天板部１を構成する各天板形成板部２に夫々付設する付設部４と、この各付設部４に連設し下方へ突出する垂下接地部５と、この各垂下接地部５間に連設し天板形成板部２同士の帯状接合部12を突き合せた合せ目７と交差する方向に架設される架設部６とで構成しており、更に、この脚部３は手で押圧することで弾性変形し得る構成としている。
【００４７】
本実施例では、この付設部４と垂下接地部５及び架設部６とからなる脚部３を金属製の線材で形成した構成としており、具体的には、直径約３ｍｍのステンレス製の線材を用いて形成した構成としている。
【００４８】
また、本実施例の脚部３は、この脚部３を構成する付設部４を、天板部１を構成する複数（本実施例では二枚）の天板形成板部２に係脱自在に係止して着脱自在に付設した構成として、脚部３を天板部１に対して分離自在に設けた構成とし、更に、付設部４を天板部１から脱着して脚部３を天板部１から分離することで、天板部１を構成する各天板形成板部２の係止保持状態、言い換えると、面一で隣接するように並設した状態が解除されて天板形成板部２同士が分離自在となるように構成して、この脚部３を複数の天板形成板部２を並設状態に係止保持して天板部１を組み付け保持する天板保持金具３として構成している。
【００４９】
この天板部１を組み付け保持する天板保持金具３としての作用と、天板部１を支持する脚としての作用との二つの作用を備えた本実施例の脚部３は、具体的には、図４に示すように、各天板形成板部２の端部の表側及び裏側に配設されるように係脱自在に掛け止め係止する付設部４に垂下接地部５を連設し、この各垂下接地部５間に連設した架設部６を天板形成板部２の裏面に設けた裏面係合部８に係脱自在に係止する構成としている。
【００５０】
より具体的には、一本の金属製の線材を折曲して付設部４と垂下接地部５と架設部６とが連設したループ状に形成した構成とし、天板部１を構成する天板形成板部２同士の合せ目７、即ち、天板部１の中心線を境にしてＵ字状若しくはＶ字状に形成した垂下接地部５を対向状態に設け、この対向するＵ字若しくはＶ字に形成した各垂下接地部５の一端間に天板形成板部２同士の合せ目７と交差する一直線状の架設部６を設け、各垂下接地部５の他端間に架設され天板形成板部２同士の合せ目７と交差し且つ各天板形成板部２の表側及び裏側に配設されるように凹凸形状に形成した付設部４とで構成している。
【００５１】
更に詳細には、本実施例の付設部４は、中央部に凹部、この凹部の両側に凸部を配置した形状に構成し、前述した天板部１の左右端部に設けた端部係合部９に嵌合係止した際に、この付設部４の凸部が天板部１の表面に付設し、凹部が天板部１の裏面に付設すると共に、この凹部が天板形成板部２同士の合せ目７と交差して、天板部１を構成する二枚の天板形成板部２を支持すると共に、この天板部１を構成する二枚の天板形成板部２同士の係止状態を保持するように構成している。
【００５２】
また、本実施例の架設部６は、図５に示すように、付設部４を端部係合部９に嵌合係止した状態では裏面係合部８の係止位置に届かず、この架設部６を手で押圧して弾性変形させることで架設部６を内方に移動させて裏面係合部８に引掛け係止するように構成している。
【００５３】
また、本実施例では、この各天板形成板部２の端部（具体的には左右端部）の表裏に配設した付設部４の表側に配設した部分が、食器などが天板部１の左右端部からはみ出して落下することを防止するストッパーの役割も果たすように構成している。
【００５４】
尚、脚部３は、上述した金属製の線材に限らず、金属製の帯板材（帯状に形成した板バネ材）でも良い。また、この脚部３を形成する際、付設部４と架設部６とを面一状態（段差のない平らな状態）となるように形成しても良く、この場合、取り付けは、上述同様に付設部４若しくは架設部６のいずれかを押圧して（引っ張って）脚部３を弾性変形させて端部係合部９若しくは裏面係合部８のいずれかに引掛け係止すれば良く（変形度合いが大きくなるのでより強固に係止することができる。）、また、分離状態においては脚部３が平らになるので天板形成板部２とこの脚部３とを重合収納した際に、厚みがなく非常にスリムな状態になり、リュックサックなどに収納する際にも場所を取らないので、より一層携帯性が向上する。
【００５５】
また、本実施例では、天板保持金具３となる脚部３を天板部１に対して分離自在に設けた構成としているが、折り畳み自在に設けた構成としても良い。
【００５６】
以上のように、本実施例は、天板部１を構成する二枚の天板形成板部２と、この二枚の天板形成板部２同士を係止保持して天板部１の組み付けを保持する天板保持金具３を兼用する二体の脚部３との僅か四つの部品のみで構成しており、このように部品点数が少ないから、組み立て作業、収納時の分解作業が極めて容易なものとなる。
【００５７】
以下に、本実施例を組み立てる際の組み立て手順を示す。
【００５８】
本実施例を使用状態に組み立てる際は、先ず、二枚の天板形成板部２の帯状接合部12同士を突き合わせて面一状態に並設して天板部１を形成する。
【００５９】
次いで、この天板部１の左右夫々に設けた端部係合部９に脚部３の付設部４を嵌合係止し、この状態で脚部３の架設部６を手で押圧して天板部１（天板形成板部２）の裏面に設けた裏面係合部８に引掛け係止して、組み付け作業は終了する。
【００６０】
また、分解・収納する際は、裏面係合部８に引掛け係止している架設部６を手で押圧して裏面係合部８から脱着した後、付設部４を端部係合部９から外すだけで、天板部１は二枚の天板形成板部２に分離するので、図６に示すように、この分離した天板形成板部２と脚部３とを重ねて天板形成板部２一枚分の大きさにしたものを収納袋10に収納し終了する。
【００６１】
このように、組み立て作業も、分解・収納作業も極めて容易で、しかも、天板部１はアルミ、脚部３は線材で構成したので非常に軽量となるように設計されており、持ち運ぶ際にも嵩張らず、また、重量もないので非常に持ち運びが容易な実用性に優れた画期的な組み立て式テーブルとなる。
【００６２】
尚、本発明は、本実施例に限られるものではなく、各構成要件の具体的構成は適宜設計し得るものである。
【符号の説明】
【００６３】
１  天板部
２  天板形成板部
３  脚部・天板保持金具
４  付設部
５  垂下接地部
６  架設部
７  合せ目
８  裏面係合部
９  端部係合部
【図１】
0005511755.tif 000002
【図２】
0005511755.tif 000003
【図３】
0005511755.tif 000004
【図４】
0005511755.tif 000005
【図５】
0005511755.tif 000006
【図６】
0005511755.tif 000007